(57)【要約】【課題】前枠から先セルまでの距離の調整をユーザ自ら行わなくても、鼻や耳にフィットする眼鏡フレームを提供することを課題とする。【解決手段】前枠２と、テンプル本体３、及び、テンプル本体３に対して前後方向移動可能とされた先セル４を有するテンプル５と、前枠２と先セル４とが前後方向に互いに引き合うように、テンプル本体３及び先セル４を連結する弾性部材６と、先セル４の後端部４５と所定部４６とに取り付けられた耳当て部材１０とを備え、先セル４は、前端部４５と所定部４６との間に、挿入孔４１を外部と連通させる側面孔４４を有し、テンプル本体３は、磁着部３１を有し、耳当て部材１０に形成され、耳当て部材１０が先セル４に押し付けられると、側面孔４４に挿入されて、磁着部３１と磁着し、テンプル本体３の前後方向の移動を阻止する突起部９を備えることを特徴する眼鏡フレーム１を提供する。【選択図】図１
2008164744.tif 000002
【特許請求の範囲】
【請求項１】
前枠と、
前記前枠から後方に延出されたテンプル本体、及び、前端部から後方に延びる挿入孔を内側に有し、且つ、前記テンプル本体が前記挿入孔に前後方向移動可能に挿入される先セルを有するテンプルと、
前記前枠と前記先セルとが前後方向に互いに引き合うように、前記テンプル本体及び前記先セルを連結する弾性部材と、
軸部材を介して前記先セルに揺動可能に取り付けられ、耳の裏側に当接可能な耳当接部を有する耳当て部、及び、前記先セルの前記耳当て部が取り付けられた部位より前方にある所定部と前記耳当接部の前端部とを連結する可撓性の絡み防止部を有する耳当て部材とを備え、
前記先セルは、前記所定部と、前記先セルの前記耳当て部が取り付けられた部位との間に、前記挿入孔を外部と連通させる側面孔を有し、
前記テンプル本体は、磁性体又は磁石で形成された磁着部を有し、
前記耳当て部材に形成され、前記耳当て部材が前記先セルに押し付けられると、前記側面孔に挿入されて、前記磁着部と磁着し、前記テンプル本体の前後方向の移動を阻止する突起部を備えることを特徴する眼鏡フレーム。
【請求項２】
前枠と、
前記前枠から後方に延出されたテンプル本体、及び、前端部から後方に延びる挿入孔を内側に有し、且つ、前記テンプル本体が前記挿入孔に前後方向移動可能に挿入される先セルを有するテンプルと、
前記前枠と前記先セルとが前後方向に互いに引き合うように、前記テンプル本体及び前記先セルを連結する弾性部材と、
軸部材を介して前記先セルに揺動可能に取り付けられ、耳の裏側に当接可能な耳当接部を有する耳当て部、及び、前記先セルの前記耳当て部が取り付けられた部位より前方にある所定部と前記耳当接部の前端部とを連結する可撓性の絡み防止部を有する耳当て部材とを備え、
前記先セルは、前記所定部と、前記先セルの前記耳当て部が取り付けられた部位との間に、前記挿入孔を外部と連通させる側面孔を有し、
前記耳当て部材に形成され、前記耳当て部材が前記先セルに押し付けられると、前記側面孔を通じて前記挿入孔に進入し、前記テンプル本体と当接して、前記テンプル本体の前後方向の移動を阻止する突起部を備えることを特徴する眼鏡フレーム。
【発明の詳細な説明】
【技術分野】
【０００１】
本発明は、前枠から先セルまでの距離の調整が可能な眼鏡フレームに関する。
【背景技術】
【０００２】
近年、眼鏡を掛けた際に、ユーザの鼻や耳に違和感なく眼鏡をフィットさせるという観点から、ユーザの鼻と耳との距離に応じて、前枠から先セルまでの距離の調整が可能な眼鏡フレームが提案されている。前枠から先セルまでの距離の調整が可能な眼鏡フレームとして、特許文献１に開示された眼鏡フレームを挙げることができる。特許文献１の眼鏡フレームは、前枠と、前枠から後方に延出するテンプルと、テンプルを挿入する挿入穴が形成された先セルとを備える。かかる眼鏡フレームのテンプルの先端部には、係合突起が形成されており、先セルの挿入穴には、係合突起を係止する係止部が長手方向に沿って複数形成されている。このような係止部が挿入穴の長手方向に沿って複数形成されていることで、テンプルの挿入穴に対する挿入量が複数段階に調整可能とされている。よって、特許文献１の眼鏡フレームは、調整可能な挿入量のうち、高いフィット感が得られる挿入量にテンプルの挿入穴に対する挿入量を調整することによって、装着時に高いフィット感を得ることができるようにされている。
【特許文献１】実用新案登録第３１０７９８７号公報
【発明の開示】
【発明が解決しようとする課題】
【０００３】
特許文献１の眼鏡フレームは、装着前に、ユーザが、自らテンプルの挿入穴に対する挿入量を調整して、前枠から先セルまでの距離を自分の鼻と耳との距離に対応する距離にして、装着するものである。しかし、このような調整を行って、眼鏡フレームを実際に装着してみても、前枠から先セルまでの距離が自分の鼻と耳との距離に対応しておらず、眼鏡フレームが鼻や耳にフィットしない場合もある。このような場合、ユーザは、装着した眼鏡を外して、再度テンプルの挿入穴に対する挿入量の調整を行う必要がある。よって、特許文献１の眼鏡フレームにおいては、テンプルの挿入穴に対する挿入量の調整を複数回要する場合があり、装着に手間取る場合がある。
【０００４】
本発明は、このような調整をユーザ自ら行わなくても、鼻や耳にフィットする眼鏡フレームを提供することを課題とする。
【課題を解決するための手段】
【０００５】
前記課題を解決するべく、本発明は、第１の手段として、前枠と、前記前枠から後方に延出されたテンプル本体、及び、前端部から後方に延びる挿入孔を内側に有し、且つ、前記テンプル本体が前記挿入孔に前後方向移動可能に挿入される先セルを有するテンプルと、前記前枠と前記先セルとが前後方向に互いに引き合うように、前記テンプル本体及び前記先セルを連結する弾性部材と、軸部材を介して前記先セルに揺動可能に取り付けられ、耳の裏側に当接可能な耳当接部を有する耳当て部、及び、前記先セルの前記耳当て部が取り付けられた部位より前方にある所定部と前記耳当接部の前端部とを連結する可撓性の絡み防止部を有する耳当て部材とを備え、前記先セルは、前記所定部と、前記先セルの前記耳当て部が取り付けられた部位との間に、前記挿入孔を外部と連通させる側面孔を有し、前記テンプル本体は、磁性体又は磁石で形成された磁着部を有し、前記耳当て部材に形成され、前記耳当て部材が前記先セルに押し付けられると、前記側面孔に挿入されて、前記磁着部と磁着し、前記テンプル本体の前後方向の移動を阻止する突起部を備えることを特徴する眼鏡フレームを提供する。
【０００６】
第１の手段に係る眼鏡フレームは、前枠と、テンプル本体及び先セルを有するテンプルと、軸部材を介して先セルに揺動可能に取り付けられ、耳の裏側に当接可能な耳当接部を有する耳当て部、及び、先セルの耳当て部が取り付けられた部位より前方にある所定部と耳当接部の前端部とを連結する可撓性の絡み防止部を有する耳当て部材とを備える。第１の手段に係る眼鏡フレームは、前枠を顔面に固定し（前枠に鼻パッドが備えられているときは、鼻パッドを鼻に掛け）、耳当て部材を耳に掛けて、耳当て部材を耳で先セルに押し付けると、前枠が顔面に固定され、耳当て部材が耳の裏側に掛かることで装着することができる。
【０００７】
また、第１の手段に掛かる眼鏡フレームのテンプル本体と先セルとは、弾性部材で連結されており、テンプル本体と先セルとは相対的に移動可能とされている。このように、テンプル本体と先セルとが相対的に移動可能にとされていることで、第１の手段に掛かる眼鏡フレームは、テンプルが後方に延出された前枠と先セルに取り付けられた耳当て部材との距離を調整可能とされている。従って、第１の手段に係る眼鏡フレームは、ユーザの顔面と耳との距離に基づいて、前枠と耳当て部材との距離を調整して、装着することが可能とされている。
【０００８】
前述の先セルには、所定部と、先セルの耳当て部が取り付けられた部位との間に、挿入孔を外部と連通させる側面孔が有され、テンプル本体の後部には、磁性体又は磁石で形成された磁着部が有され、耳当て部材には、耳当て部材が先セルに押し付けられると、側面孔に挿入され、磁着部と磁着して、テンプル本体の前後方向の移動を阻止する突起部が形成されている。よって、第１の手段に係る眼鏡フレームは、装着と同時に、テンプル本体の前後方向の移動が阻止されて、前枠と耳当て部材との位置が固定される。よって、第１の手段に係る眼鏡フレームは、装着と同時に、前枠と耳当て部材との距離が、前枠が顔面に固定され、耳当て部材が耳の裏側に掛かる距離に調整されるので、ユーザ自ら自分の顔面と耳との距離に基づいて、前枠と先セルとの距離の調整をする必要がない。
【０００９】
また、前枠と耳当て部材との位置が固定されると、先セルが弾性部材の弾性力によって、前枠側に移動しようとすることを防ぐことができる。これにより、第１の手段に係る眼鏡フレームにおいては、先セルに取り付けられた耳当て部が第１の手段に係る眼鏡フレームを装着したユーザの耳の裏側を押さえ付けて、ユーザに痛みを感じさせることが防止されている。
【００１０】
また、第１の手段に係る眼鏡フレームを装着した状態において、前枠がずれ落ちようとすると、先セルはずれ上がろうとし、先セルに取り付けられた耳当て部の耳当接部は上方へ移動しようとする。そして、耳当て部の耳当接部が上方へ移動しようとすると、耳当て部の耳当接部は軸部材を中心として前回り方向へ回転しようとする。この時、耳当接部の前端部が耳の裏側を押圧する力が大きくなり、その結果、耳当接部と耳の裏側との相対的な移動が阻止され、先セルのずれ上がりが阻止される。よって、第１の手段に掛かる眼鏡フレームは、ずれ落ちの防止も図られている。
【００１１】
更に、第１の手段に係る眼鏡フレームを取り外す際には、テンプルや先セルを上方へ持ち上げても先セルと耳当接部との間が絡み防止部で塞がれているため、髪の毛が先セルと耳当て部との取り付け部位に入り込みにくく、これに絡まることが抑制されている。尚、絡み防止部は、可撓性を有しており、耳当て部の揺動を阻害することがないため、ずれ落ち防止の機能を阻害することもない。
【００１２】
また、第１の手段に係る眼鏡フレームは、ユーザの顔面と耳との距離に基づいて、前枠と先セルとの距離を調整して、装着すると、前枠が顔面に固定され、耳当て部材が耳の裏側に掛かった状態で、前枠と先セルとの位置が固定される。即ち、前枠と先セルとの位置がユーザの顔面と耳との距離に応じて無段階に調整できるため、より高いフィット感を得ることができる。
【００１３】
テンプル本体と先セルとの連結の具体的構成として、前記弾性部材は、装着時において、自然長より縮んだ状態で前記テンプル本体と前記先セルとを連結し、前記テンプル本体の前記弾性部材と連結される部位が、前記先セルの前記弾性部材と連結される部位より後方に位置する構成を挙げることができる。
【００１４】
かかる具体的構成においては、弾性部材は、伸張力が生じた状態でテンプル本体と先セルとを連結しており、テンプル本体を後方に、先セルを前方に引っ張っている。よって、かかる具体的構成においては、弾性部材の伸長力により、テンプル本体が後方に、先セルが前方に引っ張られていることで、前枠と先セルとが互いに引き合うことが実現される。
【００１５】
また、テンプル本体と先セルとの連結の他の具体的構成として、前記弾性部材は、装着時において、自然長より伸びた状態で前記テンプル本体と前記先セルとを連結し、前記テンプル本体の前記弾性部材と連結される部位が、前記先セルの前記弾性部材と連結される部位より前方に位置する構成を挙げることができる。
【００１６】
かかる具体的構成においては、弾性部材は、収縮力が生じた状態でテンプル本体と先セルとを連結しており、テンプル本体を後方に、先セルを前方に引っ張っている。よって、かかる具体的構成においては、弾性部材の収縮力により、テンプル本体が後方に、先セルが前方に引っ張られることで、前枠と先セルとが互いに引き合うことが実現される。
【００１７】
また、本発明は、第２の手段として、前枠と、前記前枠から後方に延出されたテンプル本体、及び、前端部から後方に延びる挿入孔を内側に有し、且つ、前記テンプル本体が前記挿入孔に前後方向移動可能に挿入される先セルを有するテンプルと、前記前枠と前記先セルとが前後方向に互いに引き合うように、前記テンプル本体及び前記先セルを連結する弾性部材と、軸部材を介して前記先セルに揺動可能に取り付けられ、耳の裏側に当接可能な耳当接部を有する耳当て部、及び、前記先セルの前記耳当て部が取り付けられた部位より前方にある所定部と前記耳当接部の前端部とを連結する可撓性の絡み防止部を有する耳当て部材とを備え、前記先セルは、前記所定部と、前記先セルの前記耳当て部が取り付けられた部位との間に、前記挿入孔を外部と連通させる側面孔を有し、前記耳当て部材に形成され、前記耳当て部材が前記先セルに押し付けられると、前記側面孔を通じて前記挿入孔に進入し、前記テンプル本体と当接して、前記テンプル本体の前後方向の移動を阻止する突起部を備えることを特徴する眼鏡フレームを提供する。
【００１８】
第２の手段に係る眼鏡フレームは、テンプル本体の前後方向の移動の阻止を、テンプル本体と突起部との磁着ではなく、テンプル本体に突起部が当接することで行う点が第１の手段に係る眼鏡フレームと異なる。
【００１９】
突起部がテンプル本体と当接することでテンプル本体の前後方向の移動を阻止する具体的構成として、前記テンプル本体は、前記挿入孔に進入した前記突起部と係合する係合部を前後方向に複数備え、前記突起部は、前記係合部に当接して係合し、前記テンプル本体の前後方向の移動を阻止する構成を挙げることができる。
【００２０】
かかる具体的構成においては、突起部が係合部に係合した状態で、テンプル本体が前後方向に移動しようとすると、突起部が係合部に受け止められることで、テンプル本体の前後方向の移動が阻止される。かかる具体的構成においては、突起部を係合する係合部が前後方向に複数個備えられているので、ユーザの顔面と耳との距離に応じて、前枠と先セルとの距離を複数段階に調整することができる。
【００２１】
突起部がテンプル本体と当接することでテンプル本体の前後方向の移動を阻止する他の具体的構成として、前記突起部は、前記挿入孔に進入すると、前記挿入孔を形成する前記先セルの内面部と共に、前記テンプル本体を挟持して、前記テンプル本体の前後方向の移動を阻止する構成を挙げることができる。
【００２２】
かかる具体的構成においては、突起部及びテンプル本体の間と、先セルの内面部及びテンプル本体の間とに生じる摩擦力によって、テンプル本体の前後方向の移動が阻止される。尚、かかる具体的構成の眼鏡フレームは、ユーザの顔面と耳との距離に基づいて、前枠と先セルとの距離を調整して、装着すると、前枠が顔面に固定され、耳当て部材が耳の裏側に掛かった状態で、テンプル本体が挟持されて、前枠と先セルとの位置が固定される。即ち、かかる具体的構成の眼鏡フレームは、前枠と先セルとの位置がユーザの顔面と耳との距離に応じて無段階に調整できるため、より高いフィット感を得ることができる。
【００２３】
突起部がテンプル本体と当接することでテンプル本体の前後方向の移動を阻止する他の具体的構成として、前記テンプル本体は、弾性体で形成された弾性部を有し、該弾性部は前記突起部よりも前後方向長さが長く、前記突起部は、前記挿入孔に進入すると、前記テンプル本体の弾性部と当接し、該弾性部を押し込んで、該弾性部の前端部及び後端部を除く部分を凹ませて、前記テンプル本体の前後方向の移動を阻止する構成を挙げることができる。
【００２４】
かかる具体的構成においては、耳当て部材に形成された突起部がテンプル本体に有された弾性部と当接することによる摩擦力、及び、弾性部の前端部及び後端部を除く部分が凹んで突起部と弾性部とが係合することによって、テンプル本体の前後方向の移動が阻止される。また、かかる具体的構成の眼鏡フレームにおいても、ユーザの顔面と耳との距離に基づいて、前枠と先セルとの距離を調整して、装着すると、前枠が顔面に固定され、耳当て部材が耳の裏側に掛かった状態で、テンプル本体が挟持されて、前枠と先セルとの位置が固定される。即ち、かかる具体的構成の眼鏡フレームは、前枠と先セルとの位置がユーザの顔面と耳との距離に応じて無段階に調整できるため、より高いフィット感を得ることができる。
【００２５】
突起部がテンプル本体と当接することでテンプル本体の前後方向の移動を阻止する他の具体的構成として、前記突起部は、弾性体で形成された弾性部を有し、前記テンプル本体は、前記弾性部よりも前後方向長さが短い凸部が形成され、前記突起部は、前記挿入孔に進入すると、前記弾性部が前記テンプル本体の前記凸部と当接して押し込まれ、該弾性部の前端部及び後端部を除く部分が凹まされることで前記テンプル本体の前後方向の移動を阻止する構成を挙げることができる。
【００２６】
かかる具体的構成においては、テンプル本体に形成された凸部が突起部の弾性部と当接することによる摩擦力、及び、弾性部の前端部及び後端部を除く部分が凹んで凸部と突起部の弾性部とが係合することによって、テンプル本体の前後方向の移動が阻止される。また、かかる具体的構成の眼鏡フレームにおいても、ユーザの顔面と耳との距離に基づいて、前枠と先セルとの距離を調整して、装着すると、前枠が顔面に固定され、耳当て部材が耳の裏側に掛かった状態で、テンプル本体が挟持されて、前枠と先セルとの位置が固定される。即ち、かかる具体的構成の眼鏡フレームは、前枠と先セルとの位置がユーザの顔面と耳との距離に応じて無段階に調整できるため、より高いフィット感を得ることができる。
【００２７】
第２の手段に係る眼鏡フレームにおいて、テンプル本体と先セルとの連結の具体的構成として、前記弾性部材は、装着時において、自然長より縮んだ状態で前記テンプル本体と前記先セルとを連結し、前記テンプル本体の前記弾性部材と連結される部位が、前記先セルの前記弾性部材と連結される部位より後方に位置する構成を挙げることができる。
【００２８】
かかる具体的構成においては、弾性部材は、伸張力が生じた状態でテンプル本体と先セルとを連結しており、テンプル本体を後方に、先セルを前方に引っ張っている。よって、かかる具体的構成においては、弾性部材の伸長力により、テンプル本体が後方に、先セルが前方に引っ張られていることで、前枠と先セルとが互いに引き合うことが実現される。
【００２９】
また、第２の手段に係る眼鏡フレームにおいて、テンプル本体と先セルとの連結の他の具体的構成として、前記弾性部材は、装着時において、自然長より伸びた状態で前記テンプル本体と前記先セルとを連結し、前記テンプル本体の前記弾性部材と連結される部位が、前記先セルの前記弾性部材と連結される部位より前方に位置する構成を挙げることができる。
【００３０】
かかる具体的構成においては、弾性部材は、収縮力が生じた状態でテンプル本体と先セルとを連結しており、テンプル本体を後方に、先セルを前方に引っ張っている。よって、かかる具体的構成においては、弾性部材の収縮力により、テンプル本体が後方に、先セルが前方に引っ張られることで、前枠と先セルとが互いに引き合うことが実現される。
【発明の効果】
【００３１】
本発明の眼鏡フレームは、前枠と先セルとの距離の調整が装着と同時に行われるので、前枠と先セルとの距離の調整が不要である。
【発明を実施するための最良の形態】
【００３２】
（実施形態１）
図１は本実施形態に係る眼鏡フレームの外観図であり、（ａ）は側面図を、（ｂ）は平面図を示す。図１に示すように、本実施形態に係る眼鏡フレーム１は、前枠２、テンプル５、弾性部材、可撓製部材１０とを備える。
【００３３】
前枠２は、左右一対のレンズ２１と、左右一対のレンズ２１を保持する左右一対のリム部２２と、左右一対のリム部２２を連結するブリッジ部２３と、左右の各リム部２２の左右方向内側に取り付けられた左右一対の鼻パット２４とを有している。かかる前枠２の左右の各リム部２２の左右方向外側には、ヨロイ２５が連設されている。
【００３４】
テンプル５は、前枠２から後方に延出されたテンプル本体３及び先セル４を有している。テンプル本体３は、前端部が丁番構造２６を介してヨロイ２５に対して回動自在に連結されている。図２は図１（ａ）の点線Ｐで囲まれた部分の拡大縦断面図であり、（ａ）は、可撓性性部材１０が先セル４の下面部に押し付けられた状態（第１姿勢）の、（ｂ）は耳当て部材１０が先セル４から離間した状態（第２姿勢）を取っている状態の拡大縦断面図を示す。図２に示すように、テンプル本体３は、磁性体又は磁石で形成された磁着部３１を後部において有している。
【００３５】
先セル４は、耳の裏側の形状に対応して、後部が下方に湾曲している。かかる先セル４は、前端部から後方に延びる挿入孔４１を内側に有し、且つ、テンプル本体３が挿入孔４１に前後方向移動可能に挿入されている。更に、先セル４は、挿入孔４１と先セル４の下方側の外部とを連通させる側面孔４４を挿入孔４１の下方に有している。
【００３６】
弾性部材６は、前枠２と先セル４とが前後方向に互いに引き合うように、テンプル本体３及び先セル４を連結している。弾性部材６は、挿入孔４１に配置され、一端部が、先セル４の内面部４２の後端部４３に連結され、他端部が、後端部４３より前方に位置する、テンプル本体３の後端部３２に連結されている。この弾性部材６の自然長は、挿入孔４１の前後方向の長さに対して短く、従って、テンプル本体３や先セル４にユーザ等が力を加えないときは、弾性部材６の収縮力によって、テンプル本体３の後端部３２は、先セル４の内面部４２の後端部４３近傍まで引き付けられている。よって、テンプル本体３及び先セル４にユーザ等が力を加えないときは、前枠２と先セル４との距離は短くされている。尚、弾性部材６の一端部が連結される部分は、先セル４のどの部位であってもよく、弾性部材６の他端部が連結される部位は、一端部が連結される先セル４の部位より前方であれば、テンプル本体３のどの部位であってもよい。
【００３７】
耳当て部材１０は、軸部材１１を介して先セル４の後端部４５に揺動可能に取り付けられ、ユーザの耳の裏側に当接可能な耳当接部７１を有する耳当て部７、及び、軸部材１１を介して先セル４の耳当て部７が取り付けられた部位（後端部４５）より前方にある所定部４６と耳当接部７１の前端部７２とを連結する可撓性の絡み防止部８を有する。耳当て部材７１は、ユーザの耳の裏側の形状に対応して湾曲している。また、絡み防止部８が連結する所定部４６は、先セル４の先端部とされ、先セル４の耳当て部７が取り付けられた後端部４５と、所定部４６との間に、側面孔４４が位置している。絡み防止部８は、エラストマなどの弾性部材で形成されている。このように、耳当て部７が軸部材１１を介して揺動可能に取り付けられ、絡み防止部８が弾性部材で形成されているため、耳当て部材１０は、図２（ａ）に示すように、先セル４の下面部に押し付けられた状態（第１姿勢）と、図２（ｂ）に示すように、先セル４から離間した状態（第２姿勢）とを切り替え可能に取ることできる。
【００３８】
耳当て部材１０には、先セル４の下面部に押し付けられた状態、即ち第１姿勢のとき、側面孔４４に挿入され、テンプル本体３の磁着部３１と磁着して、テンプル本体３の前後方向の移動を阻止する突起部９が形成されている。かかる突起部９は、テンプル本体３の磁着部３１と磁着可能なように、磁性体又は磁石で形成されている。具体的には、磁着部３１が磁性体で形成されている場合は、突起部９は磁石で形成されている。磁着部３１が、磁石で形成されている場合は、突起部９は磁性体又は磁着部３１とは磁極が反対の磁石で形成されている。尚、突起部９は、テンプル本体３と磁着可能であれば、一部分のみが磁性体又は磁石で形成されていてもよい。また、テンプル本体３１の磁着部３１は、突起部９と磁着できるように形成されていればよく、例えば、テンプル本体３の後端部から所定距離において、テンプル本体３の下面部のみに形成されていてもよい。
【００３９】
磁着部３１と突起部９との磁着は、磁着部３１と突起部９との間に磁力が働く限りにおいては、側面孔４４に挿入された突起部９が側面孔４４に位置して、挿入孔４２まで進入していなくても可能である。しかし、より確実に磁着を行うためには、突起部９が側面孔４４を通じて挿入孔４２に進入し、突起部９が磁着部３１の近傍に位置又は当接することが望ましい。そのため、耳当て部材１０が第１姿勢のときに、突起部９が、側面孔４４を通じて挿入孔４２に進入して、磁着部３１の近傍に位置又は当接できるように、突起部９の高さ（突起方向の長さ）は、側面孔４４の長さ（先セル４の下面部と内面部４２との間の長さ）より大きいことが好ましい。また、突起部９の突起方向と垂直な断面形状は、側面孔４４に突起部９が挿入可能な形状とされている。
【００４０】
以上のように、先セル４が第１姿勢のときは、磁着部３１と突起部９とが磁着することで、テンプル本体３の前後方向の移動が阻止される。一方、先セル４が第２姿勢のときは、テンプル本体３の磁着部３１と突起部９とが磁着しないため、テンプル本体３を前後方向に移動させることができる。
【００４１】
以上の構成の眼鏡フレーム１の装着について説明する。眼鏡フレーム１を装着する場合は、図２（ｂ）に示すように、耳当て部材１０を第２姿勢にし、テンプル本体３の前後方向の移動を可能な状態にする。図３は、眼鏡フレーム１の装着手順を説明するための説明図であり、（ａ）は鼻パッド２４を鼻に掛けた状態で、耳当て部材１０を耳Ｅの上方に移動させた状態を、（ｂ）は耳当て部材１０が耳Ｅに押し当てられて、耳当て部材１０が第１姿勢となった状態を示す。図３（ａ）に示すように、ユーザは、耳当て部材１０を第２姿勢にすると、鼻パッド２４を鼻に掛け、耳当て部材１０が耳の上方に位置するように、先セル４を後方に引っ張る。先セル４が後方に引っ張られると、先セル４がテンプル本体３に対して、後方に移動し、弾性部材６が自然長から伸張する。耳当て部材１０が耳Ｅの上方に移動すると、図３（ａ）の矢印Ｙ方向に耳当て部材１０を移動させて、耳当て部材１０を耳Ｅに押し付け、図３（ｂ）に示すように、耳当て部材１０を先セル４に押し付けられた第１姿勢にする。これにより、鼻パッド２４が鼻に掛かる共に、耳当て部材１０が、先セル４に対応した形状となり、耳当て部材１０が耳Ｅの裏側に掛かる。これにより眼鏡フレーム１が装着される。
【００４２】
眼鏡フレームが第１姿勢を取ると、前述のように、突起部９が側面孔４４に挿入され、突起部９がテンプル本体３の磁着部３１と磁着する。突起部９と磁着部３１とが磁着すると、テンプル本体３の前後方向の移動が阻止され、前枠２と耳当て部材１０との位置が固定される。よって、本実施形態に係る眼鏡フレーム１は、装着と同時に、鼻パッド２４が鼻に、耳当て部材１０が耳Ｅの裏側に掛かった装着状態で、前枠２と耳当て部材１０との位置が固定されるので、ユーザ自ら自分の鼻と耳Ｅとの距離に基づいて、前枠２と先セル４との距離の調整をする必要がない。
【００４３】
また、装着時に前枠２と先セル４との位置が固定されると、先セル４が弾性部材６の弾性力によって、前枠２側に移動しようとすることを防ぐことができる。これにより、本実施形態に係る眼鏡フレーム１においては、先セル４に取り付けられた耳当て部７が本実施形態に係る眼鏡フレーム１を装着したユーザの耳Ｅの裏側を押さえ付けて、ユーザに痛みを感じることが防止されている。
【００４４】
また、本実施形態に係る眼鏡フレーム１を装着した状態で、前枠２がずれ落ちようとすると、先セル４はずれ上がろうとし、先セル４に取り付けられた耳当て部７の耳当接部７１は上方へ移動しようとする。そして、耳当て部７の耳当接部７１が上方へ移動しようとすると、耳当て部７の耳当接部７１は軸部材１１を中心として前回り方向へ回転しようとする。この時、耳当接部７１の前端部が耳の裏側を押圧する力が大きくなり、その結果、耳当接部７１と耳の裏側との相対的な移動が阻止され、先セル４のずれ上がりが阻止される。このようにして、本実施形態に係る眼鏡フレーム１はずれ落ちの防止も図られている。
【００４５】
また、本実施形態に係る眼鏡フレーム１を取り外す際に、テンプル本体３や先セル４を上方へ持ち上げても先セル４と耳当接部７１との間が絡み防止部８で塞がれているため、髪の毛が先セル４と耳当て部７との取り付け部位に入り込みにくく、これに絡まることが抑制される。尚、絡み防止部８は、可撓性を有しており、耳当て部７の揺動を阻害することがないため、ずれ落ち抑制の機能を阻害することもない。
【００４６】
また、本実施形態に係る眼鏡フレーム１は、鼻パッド２４を鼻に掛け、先セル４を後方に引っ張って、耳当て部材１０を耳の上方に位置させて、耳当て部材１０を第１姿勢にして装着すると、鼻パッドが鼻に、耳当て部材１０が耳の裏側に掛かった状態で、テンプル本体３の前後方向の移動が阻止されて、鼻パッド２４と先セル４との位置が固定される。よって、本実施形態に係る眼鏡フレーム１は、鼻パッド２４と先セル４との位置が鼻と耳との距離に応じて無段階に調整できるため、より高いフィット感を得ることができる。
【００４７】
（実施形態２）
以下の実施形態２〜５に係る眼鏡フレームは、テンプル本体の前後方向の移動の阻止を、テンプル本体と耳当て部材に形成された突起部との磁着ではなく、耳当て部材に形成された突起部がテンプル本体に当接することで実現される点が第１の手段に係る眼鏡フレーム１と異なる。実施形態２〜５に係る眼鏡フレームは、テンプル本体の前後方向の移動の阻止するための構成が異なる点を除いて、実施形態１に係る眼鏡フレーム１と同様の構成である。実施形態２〜５においては、各実施形態に係る眼鏡フレームのテンプル本体の前後方向の移動の阻止するための構成について説明する。尚、実施形態２〜５に係る眼鏡フレームにおいては、テンプル本体の前後方向の移動の阻止に磁着を用いないため、テンプル本体に磁着部が有されていない。
【００４８】
図４（ａ）は、本実施形態に係る眼鏡フレーム１Ａの先セル４Ａの側面孔４４Ａ近傍の拡大縦断面図である。図４（ａ）に示すように、本実施形態に係る眼鏡フレーム１Ａのテンプル本体３Ａは、先セル４Ａの側面孔４４Ａを通じて挿入孔４１Ａに進入した突起部９Ａと係合する係合部３３Ａを前後方向に複数備えている。かかる係合部３３Ａは、テンプル本体３Ａのうち、挿入孔４１Ａに挿入可能な位置に形成されている。即ち、テンプル本体３Ａの後端部３２Ａと、該後端部３２Ａからの距離が挿入孔４１Ａの前後方向の長さＬ１の部位との間の部位に形成されている。かかる係合部３３Ａは、テンプル本体３Ａの下面部に形成され、上下方向に対して所定角度傾斜した前面部３３Ａａと、上下方向に垂直な後面部３３Ａｂとを備えている。
【００４９】
一方、本実施形態に係る眼鏡フレーム１Ａの突起部９Ａは、テンプル本体３３Ａに係合可能な形状に形成されている。突起部９Ａは、前面部３３Ａａと後面部３３Ａｂとを備えた係合部３３Ａに係合できるように、係合部３３の上面部は、後方側が高く形成されている。突起部９Ａの高さは、耳当て部材１０Ａが第１姿勢（先セル４の下面に押し付けられた状態）ときに、突起部９Ａが係合部３３Ａと係合できるように、側面孔４４の長さより大きくされている。
【００５０】
本実施形態に係る眼鏡フレーム１Ａにおいては、耳当て部材１０Ａが第１姿勢となると、突起部９Ａの上面部の後端部は、図４（ｂ）に示すように、矢印Ｚ方向から、所定の係合部３３Ａの前面部３３Ａａと後面部３３Ａｂとの間に入り込む。そして、図４（ｃ）に示すように、突起部９Ａの上面部３３Ａａが前面部３３Ａａに当接し、上面部３３Ａａが突起部９Ａの上面部上をすべるようにテンプル本体３Ａが前後方向（矢印Ｙ方向）に移動して、図４（ｄ）に示すように、突起部９Ａの上面部の後端部が上面部３３Ａａと後面部３３Ａｂとが接合された部分（係合部３３Ａの最も上部の部分）に入り込む。これにより、突起部９Ａが係合部３３Ａに突起部９Ａが係合する。係合部３３Ａに突起部９Ａが係合した状態で、テンプル本体３Ａが前方に移動しようとすると、突起部９Ａの前面部が係合部３３Ａの前面部３３Ａａに受け止められ、テンプル本体３Ａが後方に移動しようとすると、突起部９Ａの後面部が係合部３３Ａの後面部３３Ａｂに受け止められることで、テンプル本体３Ａの前後方向の移動が阻止される。
【００５１】
尚、本実施形態に係る眼鏡フレーム１Ａにおいては、係合部３３が前後方向に複数個備えられているので、ユーザの鼻と耳との距離に応じて、前枠と先セル４Ａとの距離を複数段階に調整することができる。
【００５２】
また、係合部３３Ａの後面部３３Ａｂは、上下方向に垂直とされているのは、弾性部材６Ａの弾性力によって、テンプル本体３Ａが後方に引っ張られることによって、テンプル本体３Ａが突起部９Ａを乗り越えて、後方に移動することを防止するためである。テンプル本体３Ａが突起部９Ａを乗り越えて、後方に移動すると、前枠２Ａと耳当て部材１０Ａとの距離が短くなって、鼻が鼻パッド２４に耳の裏側が耳当接部に押さえ付けられ、鼻や耳に痛みを感じることになる。よって、本実施形態に係る眼鏡フレーム１Ａは、係合部３３Ａの後面部３３Ａｂを上下方向に垂直とすることで、前枠２Ａと耳当て部材１０Ａとの距離が短くなって、鼻や耳に痛みを感じることを防止している。
【００５３】
（実施形態３）
図５は実施形態３〜５に係る眼鏡フレームの先セルの側面孔近傍の拡大縦断面図であり、（ａ）は実施形態３に係る眼鏡フレームの先セルの側面孔近傍の拡大縦断面図を示す。図５（ａ）に示すように、本実施形態に係る眼鏡フレーム１Ｂの先セル４Ｂは、内面部４２Ｂの側面孔４４Ｂと対向する位置に、側面孔４４Ｂ側に突出した挟持部４７Ｂを備える。
【００５４】
また、本実施形態に係る眼鏡フレーム１Ｂの突起部９Ｂの高さは、耳当て部材１０Ｂが第１姿勢を取るときに、挿入孔４１Ｂ内に位置するテンプル本体３Ｂを挟持部４７Ｂと挟持できるようにするために、側面孔４４Ｂの長さよりも大きくされている。また、突起部９Ｂと挟持部４７Ｂとでテンプル本体３を挟持できるように、耳当て部材１０Ｂが第１姿勢を取るときの突起部９Ｂと挟持部４７Ｂとの間隔は、テンプル本体３Ｂの上下方向の長さより短くされている。
【００５５】
従って、本実施形態に係る眼鏡フレーム１Ｂにおいては、鼻パッドを鼻に掛け、耳当て部材１０Ｂを耳に押し付けて第１姿勢とすると、突起部９Ｂと挟持部４７Ｂとでテンプル本体３Ｂが挟持される。この挟持により、突起部４７Ｂ及びテンプル本体３Ｂの間と、挟持部４７Ｂ及びテンプル本体３Ｂの間とに生じる摩擦力によって、テンプル本体３Ｂの前後方向の移動が阻止される。テンプル本体３Ｂの前後方向の移動が阻止されることで、鼻パッドが鼻に、耳当て部材１０Ｂが耳の裏側に掛かった状態で、鼻パッドと先セル４Ｂとの位置が固定される。更に、本実施形態に係る眼鏡フレーム１Ｂは、鼻パッドが鼻に、耳当て部材１０Ｂが耳の裏側に掛かった状態で、鼻パッドと先セル４Ｂとの位置が固定されるので、鼻パッドと先セル４Ｂとの位置が鼻と耳との距離に応じて無段階に調整できるため、より高いフィット感を得ることができる。
【００５６】
尚、突起部４７Ｂ及びテンプル本体３Ｂ、挟持部４７Ｂ及びテンプル本体３Ｂに摩擦力を高めるために、突起部９Ｂ、テンプル本体３Ｂ、挟持部４７Ｂの表面を粗面としてもよい。  
【００５７】
（実施形態４）
図５（ｂ）は実施形態４に係る眼鏡フレーム１Ｃの先セル４Ｃの側面孔４４Ｃ近傍の拡大縦断面図である。図５（ｂ）に示すように、本実施形態に係る眼鏡フレーム１Ｃの先セル４Ｃは、実施形態３の眼鏡フレーム１Ｂの先セル４Ｂと同様に、内面部４２Ｃの側面孔４４Ｃと対向する位置に、側面孔４４Ｃ側に突出した挟持部４７Ｃを備える。
【００５８】
本実施形態に係る眼鏡フレーム１Ｃのテンプル本体３Ｃは、弾性体で形成された弾性部３４Ｃを有している。この弾性部３４Ｃは、テンプル本体３Ｃのうち、挿入孔４１Ｃに挿入可能な位置に形成されている。即ち、テンプル本体３Ｃの後端部３２Ｃと、該後端部３２Ｃからの距離が挿入孔４１Ｃの前後方向の長さＬ１の部位との間の部位に形成されている。弾性部３４Ｃは、少なくとも、テンプル本体３Ｃの側面孔４４Ｃ側に形成されていればよく、例えば、テンプル本体３Ｃの外周部全体に形成されてもよい。尚、本実施形態では、弾性部３４Ｃは、テンプル本体３Ｃの外周部全体に形成されている。弾性部３４Ｃを形成する弾性体は、突起部９Ｃよりも剛性が低いものが好ましい。弾性体としては、例えば、天然ゴム、合成ゴム、合成樹脂等や耳当て部材１０と同一の材質とすることができる。
【００５９】
また、本実施形態に係る眼鏡フレームの突起部９Ｃの高さは、耳当て部材１０Ｂが第１姿勢を取るときに、挿入孔４１内に位置する弾性部３４Ｃと当接して、テンプル本体３を挟持部４７Ｃに押し付けて、弾性部３４Ｃを凹ませることが可能な高さとされている。従って、突起部９Ｃの高さは、先セル４Ｃの側面孔４４Ｃの長さよりも大きくされている。また、耳当て部材１０Ｂが第１姿勢を取るときに、テンプル本体３Ｃ（弾性部３４Ｃ）を挟持部４７Ｃに押し付けることができるように、耳当て部材１０Ｂが第１姿勢を取るときの突起部９Ｃと挟持部４７Ｃとの間隔は、テンプル本体３Ｃの上下方向の長さより短くされている。更に、突起部９Ｃの前後方向長さは、弾性部３４Ｃよりも短くされている。突起部９Ｃの前後方向長さが、弾性部３４Ｃよりも短くされていると、突起部９Ｃが弾性部３４Ｃの前端部及び後端部を除く部分を押圧して、前端部及び後端部を除く部分を凹ませることが可能となる。弾性部３４Ｃの前端部及び後端部を除く部分を凹ませると、突起部９Ｃの前面部の前方と後面部の後方に弾性部３４Ｃが回り込み、弾性部３Ｃと突起部９Ｃとが係合し、テンプル本体３Ｃの前後方向の移動が阻止される。
【００６０】
従って、本実施形態に係る眼鏡フレーム１Ｃにおいては、鼻パッドを鼻に掛け、耳当て部材１０Ｃを耳に押し付けて第１姿勢とすると、突起部９Ｃが弾性部３４Ｃと当接して、テンプル本体３Ｃを挟持部４７Ｃに押し付けて、弾性部３４Ｃを凹ませる。このように弾性部３４が凹むと、突起部９Ｃ及び弾性部３４Ｃの間とテンプル本体３Ｃ及び挟持部４７Ｃとに発生する摩擦力と、弾性部３４Ｃと突起部９Ｃとの係合とによって、テンプル本体３Ｃの前後方向の移動が阻止される。テンプル本体３Ｃの前後方向の移動が阻止されることで、鼻パッドが鼻に、耳当て部材１０Ｃが耳の裏側に掛かった状態で、鼻パッドと先セル４Ｃとの位置が固定される。更に、本実施形態に係る眼鏡フレーム１Ｃは、鼻パッドが鼻に、耳当て部材１０Ｃが耳の裏側に掛かった状態で、鼻パッドと先セル４Ｃとの位置が固定されるので、鼻パッドと先セル４Ｃとの位置が鼻と耳との距離に応じて無段階に調整できるため、より高いフィット感を得ることができる。
【００６１】
（実施形態５）
図５（ｃ）は実施形態５に係る眼鏡フレーム１Ｄの先セル４Ｄの側面孔４４Ｄ近傍の拡大縦断面図である。図５（ｃ）に示すように、本実施形態に係る眼鏡フレーム１Ｄの先セル４Ｄは、実施形態３の眼鏡フレーム１Ｂの先セル４Ｂと同様に、内面部４２Ｄの側面孔４４Ｄと対向する位置に、側面孔４４Ｄ側に突出した挟持部４７Ｄを備える。
【００６２】
本実施形態に係る眼鏡フレーム１Ｄの突起部９Ｄは、弾性体で形成された弾性部９１Ｄを有している。この弾性部９１Ｄは、少なくとも、弾性部９Ｄの上面部に形成されていればよい。尚、本実施形態では、弾性部９１Ｄは、突起部９Ｄ全体に亘って形成されている。弾性部９１Ｄを形成する弾性体は、例えば、天然ゴム、合成ゴム、合成樹脂等や、耳当て部材１０と同一の材質とすることができる。例えば、本実施形態のように、突起部９Ｄの全体に亘って弾性部９１Ｄを形成する場合は、突起部９Ｄは、耳当て部材１０と一体的に形成されたものであってもよい。突起部９Ｄの高さは、耳当て部材１０Ｄが第１姿勢を取ると、弾性部９Ａが形成される上面部が挿入孔４２に進入できる高さとされている。従って、突起部９Ｄの高さは、先セル４Ｄの側面孔４４Ｄの長さよりも大きくされている。
【００６３】
本実施形態に係る眼鏡フレームのテンプル本体３Ｄは、凸部３５Ｄを有している。かかる凸部３５Ｄは、テンプル本体３Ｄの側面孔４４Ｄ側に形成され、側面孔４４Ｄ方向に突起している。凸部３５Ｄの高さは、耳当て部材１０Ｄが第１姿勢を取るときに、突起部９Ｄの弾性部９１Ｄと当接して、弾性部９１Ｄを凹ませることが可能な高さとされている。従って、凸部９Ｄの高さは、テンプル本体３Ｄの下面部から耳当て部材１０Ｄが第１姿勢を取っているときの突起部９Ｄの上面部までの距離より大きく形成されている。この凸部３５Ｄは、テンプル本体３Ｄの前後方向位置のうち、側面部４４Ｄの上方に位置することが可能な部位に形成されている。また、凸部３５Ｄの前後方向長さは、弾性部９１Ｄよりも短くされている。凸部３５Ｄの前後方向長さが、弾性部９１Ｄよりも短くされていると、凸部３５Ｄが弾性部３４Ｄの前端部及び後端部を除く部分を押圧して、凹ませることが可能となる。弾性部９１Ｄの前端部及び後端部を除く部分を凹ませると、凸部３５Ｄの前面部の前方と後面部の後方に弾性部９１Ｄが回り込み、弾性部９１Ｄと凸部３５Ｄとが係合し、テンプル本体３Ｄの前後方向の移動が阻止される。
【００６４】
従って、本実施形態に係る眼鏡フレーム１Ｄにおいては、鼻パッドを鼻に掛け、耳当て部材１０Ｄを耳に押し付けて第１姿勢とすると、凸部３５Ｄが突起部９Ｄの弾性部９１Ｄと当接して、テンプル本体３Ｄを挟持部４７Ｄに押し付けて、弾性部９１Ｄを凹ませる。弾性部９１Ｄが凹むと、凸部３５Ｄ及び弾性部９１Ｄの間とテンプル本体３Ｄと挟持部４７Ｄとに発生する摩擦力と、弾性部９１Ｄと凸部３５Ｄとの係合とによって、テンプル本体３Ｄの前後方向の移動が阻止される。テンプル本体３Ｄの前後方向の移動が阻止されると、鼻パッドが鼻に、耳当て部材１０Ｄが耳の裏側に掛かった状態で、鼻パッドと先セル４Ｄとの位置が固定される。更に、本実施形態に係る眼鏡フレーム１Ｄは、鼻パッドが鼻に、耳当て部材１０Ｄが耳の裏側に掛かった状態で、鼻パッドと先セル４Ｄとの位置が固定されるので、鼻パッドと先セル４Ｄとの位置が鼻と耳との距離に応じて無段階に調整できるため、より高いフィット感を得ることができる。
【００６５】
前述の実施形態１〜５に係る眼鏡フレームにおいては、テンプル本体の弾性部材と連結される部位は、先セルの弾性部材と連結される部位のよりも後方に位置し、弾性部材は、装着時に自然長よりも伸びた状態となっているが、テンプル本体の弾性部材と連結される部位は、先セルの弾性部材と連結される部位のよりも前方に位置し、弾性部材は、装着時に自然長よりも縮んだ状態となるような構成としてもよい。図６は、実施形態１の眼鏡フレーム１において、テンプル本体３の弾性部材６と連結される部位が、先セル４の弾性部材６と連結される部位のよりも前方に位置し、弾性部材６は、装着時に自然長よりも縮んだ状態となるような構成を採った場合の拡大縦断面図を示す。図６に示すように、テンプル本体３の後端部３２は、側面孔４４よりも後側まで挿入されており、テンプル本体３の弾性部材６と連結される部位は、テンプル本体３の後端部３２とされ、先セル４の弾性部材６と連結される部位は、内面部４２の側面孔４４より後側の部分とされている。弾性部材６の自然長は、先セル４の弾性部材６と連結される部位と、内面部４２の後端部４３との距離より長くされている。よって、弾性部材６は、伸張力が働き、テンプル本体３を後方に引っ張り、先セル４を前方に引っ張っている。従って、このような連結形態であっても、弾性部材の伸張力により、実施形態１に記載と同様に、テンプル本体３の後端部３２は、先セル４の内面部４２の後端部４３近傍まで引き付けることを実現できる。
【図面の簡単な説明】
【００６６】
【図１】図１は実施形態１に係る眼鏡フレームの外観図であり、（ａ）は側面図を、（ｂ）は平面図を示す。
【図２】図２は図１（ａ）の点線Ｐで囲まれた部分の拡大縦断面図であり、（ａ）は、可撓性部材が先セルの下面部に押し付けられた状態（第１姿勢）の、（ｂ）は耳当て部材が先セルから離間した状態（第２姿勢）を取っている状態の拡大縦断面図を示す。
【図３】図３は、眼鏡フレームの装着手順を説明するための説明図であり、（ａ）は鼻パッドを鼻に掛けた状態で、耳当て部材を耳の上方に移動させた状態を、（ｂ）は耳当て部材が耳に押し当てられて、耳当て部材が第１姿勢となった状態を示す。
【図４】図４（ａ）は実施形態２に係る眼鏡フレームの先セルの側面孔近傍の拡大縦断面図であり、図４（ｂ）〜（ｄ）は、突起部と係合部との係合を説明するための説明図である。
【図５】（ａ）は実施形態３に係る眼鏡フレームの先セルの側面孔近傍の拡大縦断面図を示し、（ｂ）は実施形態４に係る眼鏡フレームの先セルの側面孔近傍の拡大縦断面図を示し、（ｃ）は実施形態５に係る眼鏡フレームの先セルの側面孔近傍の拡大縦断面図を示す。
【図６】図６は、テンプル本体の弾性部材と連結される部位は、先セルの弾性部材と連結される部位のよりも前方に位置し、弾性部材は、装着時に自然長よりも縮んだ状態となるような構成を採った眼鏡フレームを示す。
【符号の説明】
【００６７】
１…眼鏡フレーム、２…前枠、３、３Ａ、３Ｂ、３Ｃ、３Ｄ・・・テンプル本体、４、４Ａ、４Ｂ、４Ｃ、４Ｄ…先セル、６、６Ａ、６Ｂ、６Ｃ、６Ｄ…弾性部材、９、９Ａ、９Ｂ、９Ｃ、９Ｄ…突起部
【図１】
2008164744.tif 000003
【図４】
2008164744.tif 000004
【図５】
2008164744.tif 000005
【図２】
2008164744.tif 000006
【図３】
2008164744.tif 000007
【図６】
2008164744.tif 000008
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
前枠と、
前記前枠から後方に延出されたテンプル本体、及び、前端部から後方に延びる挿入孔を内側に有し、且つ、前記テンプル本体が前記挿入孔に前後方向移動可能に挿入される先セルを有するテンプルと、
前記前枠と前記先セルとが前後方向に互いに引き合うように、前記テンプル本体及び前記先セルを連結する弾性部材と、
軸部材を介して前記先セルに揺動可能に取り付けられ、耳の裏側に当接可能な耳当接部を有する耳当て部、及び、前記先セルの前記耳当て部が取り付けられた部位より前方にある所定部と前記耳当接部の前端部とを連結する可撓性の絡み防止部を有する耳当て部材とを備え、
前記先セルは、前記所定部と、前記先セルの前記耳当て部が取り付けられた部位との間に、前記挿入孔を外部と連通させる側面孔を有し、
前記テンプル本体は、磁性体又は磁石で形成された磁着部を有し、
前記耳当て部材に形成され、前記耳当て部材が前記先セルに押し付けられると、前記側面孔に挿入されて、前記磁着部と磁着し、前記テンプル本体の前後方向の移動を阻止する突起部を備えることを特徴する眼鏡フレーム。
【請求項２】
前記弾性部材は、装着時において、自然長より縮んだ状態で前記テンプル本体と前記先セルとを連結し、前記テンプル本体の前記弾性部材と連結される部位が、前記先セルの前記弾性部材と連結される部位より後方に位置することを特徴とする請求項１に記載の眼鏡フレーム。
【請求項３】
前記弾性部材は、装着時において、自然長より伸びた状態で前記テンプル本体と前記先セルとを連結し、前記テンプル本体の前記弾性部材と連結される部位が、前記先セルの前記弾性部材と連結される部位より前方に位置することを特徴とする請求項１に記載の眼鏡フレーム。
【請求項４】
前枠と、
前記前枠から後方に延出されたテンプル本体、及び、前端部から後方に延びる挿入孔を内側に有し、且つ、前記テンプル本体が前記挿入孔に前後方向移動可能に挿入される先セルを有するテンプルと、
前記前枠と前記先セルとが前後方向に互いに引き合うように、前記テンプル本体及び前記先セルを連結する弾性部材と、
軸部材を介して前記先セルに揺動可能に取り付けられ、耳の裏側に当接可能な耳当接部を有する耳当て部、及び、前記先セルの前記耳当て部が取り付けられた部位より前方にある所定部と前記耳当接部の前端部とを連結する可撓性の絡み防止部を有する耳当て部材とを備え、
前記先セルは、前記所定部と、前記先セルの前記耳当て部が取り付けられた部位との間に、前記挿入孔を外部と連通させる側面孔を有し、
前記耳当て部材に形成され、前記耳当て部材が前記先セルに押し付けられると、前記側面孔を通じて前記挿入孔に進入し、前記テンプル本体と当接して、前記テンプル本体の前後方向の移動を阻止する突起部を備えることを特徴する眼鏡フレーム。
【請求項５】
前記テンプル本体は、前記挿入孔に進入した前記突起部と係合する係合部を前後方向に複数備え、
前記突起部は、前記係合部に当接して係合し、前記テンプル本体の前後方向の移動を阻止することを特徴とする請求項４に記載の眼鏡フレーム。
【請求項６】
前記突起部は、前記挿入孔に進入すると、前記挿入孔を形成する前記先セルの内面部と共に、前記テンプル本体を挟持して、前記テンプル本体の前後方向の移動を阻止することを特徴とする請求項４に記載の眼鏡フレーム。
【請求項７】
前記テンプル本体は、弾性体で形成された弾性部を有し、該弾性部は前記突起部よりも前後方向長さが長く、
前記突起部は、前記挿入孔に進入すると、前記テンプル本体の弾性部と当接し、該弾性部を押し込んで、該弾性部の前端部及び後端部を除く部分を凹ませて、前記テンプル本体の前後方向の移動を阻止することを特徴とする請求項４に記載の眼鏡フレーム。
【請求項８】
前記突起部は、弾性体で形成された弾性部を有し、
前記テンプル本体は、前記弾性部よりも前後方向長さが短い凸部が形成され、
前記突起部は、前記挿入孔に進入すると、前記弾性部が前記テンプル本体の前記凸部と当接して押し込まれ、該弾性部の前端部及び後端部を除く部分が凹まされることで前記テンプル本体の前後方向の移動を阻止することを特徴とする請求項４に記載の眼鏡フレーム。
【請求項９】
前記弾性部材は、装着時において、自然長より縮んだ状態で前記テンプル本体と前記先セルとを連結し、前記テンプル本体の前記弾性部材と連結される部位が、前記先セルの前記弾性部材と連結される部位より後方に位置する請求項４から８の何れか１項に記載の眼鏡フレーム。
【請求項１０】
前記弾性部材は、装着時において、自然長より伸びた状態で前記テンプル本体と前記先セルとを連結し、前記テンプル本体の前記弾性部材と連結される部位が、前記先セルの前記弾性部材と連結される部位より前方に位置する請求項４から８の何れか１項に記載の眼鏡フレーム。